(57)【特許請求の範囲】
【請求項１】
本体と、
前記本体に設けられ、被加熱物を加熱する加熱部と、
前記本体に設けられ、音声が入力される音声入力部と、
前記音声入力部に入力された音声を認識する音声認識部と、
前記本体の内部を冷却するための冷却ファンと、
前記音声入力部への音声入力に基づいて前記冷却ファンを制御する冷却ファン制御部と、
前記本体の内部温度を検知する内部温度センサと、
を備え、
前記冷却ファン制御部は、
前記加熱部による加熱が開始された場合に、前記冷却ファンを起動し、
前記冷却ファンの動作中に、前記音声入力部への音声入力が開始された場合に、前記冷却ファンの回転速度を、前記音声入力部への音声入力が開始される前の基本速度よりも小さい制限速度へ変更するものであり、
前記制限速度は、前記内部温度センサにより検知された温度に応じて設定されることを特徴とする加熱調理器。
【請求項２】
前記冷却ファン制御部は、前記音声入力部への音声入力が終了した場合、前記冷却ファンの回転速度を前記制限速度から前記基本速度に戻すことを特徴とする請求項１に記載の加熱調理器。
【請求項３】
前記冷却ファン制御部は、前記冷却ファンの回転速度を前記制限速度へ変更してから制限時間が経過した場合、前記冷却ファンの回転速度を前記制限速度から前記基本速度に戻すことを特徴とする請求項１に記載の加熱調理器。
【請求項４】
前記冷却ファン制御部は、前記冷却ファンの回転速度を前記制限速度へ変更してから制限時間が経過した場合、前記冷却ファンの回転速度を前記制限速度から、前記基本速度より大きい回復速度に変更することを特徴とする請求項１に記載の加熱調理器。
【請求項５】
調理モード、調理温度または火力に応じて前記加熱部を制御する制御部をさらに備え、
前記制限時間は、前記調理モード、調理温度、または火力に応じて設定されることを特徴とする請求項３または４に記載の加熱調理器。
【請求項６】
前記制限時間は、前記音声認識部によって認識される前記音声入力の内容に応じて設定されることを特徴とする請求項３または４に記載の加熱調理器。
【請求項７】
前記制限時間は、前記内部温度センサによって検知された温度に応じて設定されることを特徴とする請求項３または４に記載の加熱調理器。
【請求項８】
調理モード、調理温度または火力に応じて前記加熱部を制御する制御部をさらに備え、
前記制限速度は、前記調理モード、調理温度または火力に応じて設定されることを特徴とする請求項１〜４の何れか一項に記載の加熱調理器。
【請求項９】
前記制限速度への変更は、前記冷却ファンを停止させることを含むことを特徴とする請求項１〜８の何れか一項に記載の加熱調理器。
【請求項１０】
前記冷却ファン制御部は、前記内部温度センサにより検知された温度が予め定められた第１の閾値以上の場合、前記冷却ファンの回転速度の変更を行わないことを特徴とする請求項１〜６の何れか一項に記載の加熱調理器。
【請求項１１】
前記冷却ファン制御部は、前記冷却ファンの回転速度を前記制限速度に変更した後、前記内部温度センサにより検知された温度が予め定められた第２の閾値以上の場合、前記冷却ファンの回転速度を前記制限速度から前記基本速度に戻すことを特徴とする請求項１に記載の加熱調理器。
【請求項１２】
前記冷却ファン制御部は、
前記音声入力部への音声入力により前記加熱部の加熱が開始される場合、前記冷却ファンを前記制限速度で起動する、または前記冷却ファンの起動を遅らせることを特徴とする請求項１〜１１の何れか一項に記載の加熱調理器。
【請求項１３】
音声を出力する音声出力部と、
前記音声入力部への音声入力があった場合に、前記音声出力部の音量を小さくする、または前記音声出力部による出力のタイミングをずらす音声出力制御部と、をさらに備えることを特徴とする請求項１〜１２の何れか一項に記載の加熱調理器。
【請求項１４】
前記音声出力制御部は、
前記音声入力部への音声入力があった場合に、前記音声出力部から前記加熱調理器の異常を報知するための警告音を出力する場合は、前記音声出力部の音量を変更しないことを特徴とする請求項１３に記載の加熱調理器。
【請求項１５】
前記本体の前面側に配置され、収納および引き出し可能な操作部をさらに備え、
前記音声入力部は、前記本体の前面側または前記操作部内に配置されることを特徴とする、請求項１〜１４の何れか一項に記載の加熱調理器。
【発明の詳細な説明】
【技術分野】
【０００１】
本発明は、音声操作機能を備える加熱調理器に関するものである。
【背景技術】
【０００２】
従来、電子レンジ等の調理器に音声認識機能を備え、音声操作によって調理器を動作させることが知られている。また、音声の認識率を向上させる方法として、例えば特許文献１には、音声を検知するマイクを２つ用い、差動で入力させることで周辺騒音レベルの影響を軽減させ、音声源の信号レベルをＳ、周辺騒音レベルをＮとした場合のＳ／Ｎ比を向上させる方法が提案されている。詳しくは、特許文献１では、２つのマイクの距離をｄＭ、マイクと音声源の距離をｄＳ、マイクと周辺騒音源の距離をｄＮとした場合、ｄＭ＞ｄＳ、ｄＭ＜ｄＮの関係を成立させることで、Ｓ／Ｎ比を向上させるものである。
【先行技術文献】
【特許文献】
【０００３】
【特許文献１】特開昭５８−１１０９２３号公報（第２頁右上欄〜左下欄参照）
【発明の概要】
【発明が解決しようとする課題】
【０００４】
ここで、加熱調理器には、機器内部の温度上昇を抑えるために外気を取り入れて冷却する冷却ファンを備えているものがある。この場合、冷却ファンの回転による動作音が音声入力の際の騒音となる。また、騒音源となる冷却ファンは、機器内部に配置されるため、マイクと周辺騒音源の距離ｄＮは、マイクと音声源の距離ｄＳよりも小さくなる。すなわち、特許文献１に記載されるような従来の方法においてＳ／Ｎ比を向上させるためには、ｄＮ＞ｄＳとなる必要があるが、冷却ファンが騒音源となる場合はｄＳ＞ｄＮとなるため、Ｓ／Ｎ比はむしろ悪化してしまう。そして、その結果、加熱調理器にて音声を正しく認識できなくなってしまう。
【０００５】
本発明は、上記のような課題を背景になされたもので、加熱調理器の内部に騒音源となる冷却ファンを有する場合にも、Ｓ／Ｎ比を向上させ、正しく音声認識を行うことができる加熱調理器を提供することを目的とする。
【課題を解決するための手段】
【０００６】
本発明に係る加熱調理器は、本体と、本体に設けられ、被加熱物を加熱する加熱部と、本体に設けられ、音声が入力される音声入力部と、音声入力部に入力された音声を認識する音声認識部と、本体の内部を冷却するための冷却ファンと、音声入力部への音声入力に基づいて冷却ファンを制御する冷却ファン制御部と、本体の内部温度を検知する内部温度センサと、を備え、冷却ファン制御部は、加熱部による加熱が開始された場合に、冷却ファンを起動し、冷却ファンの動作中に、音声入力部への音声入力が開始された場合に、冷却ファンの回転速度を、音声入力部への音声入力が開始される前の基本速度よりも小さい制限速度へ変更するものであり、制限速度は、内部温度センサにより検知された温度に応じて設定される。
【発明の効果】
【０００７】
本発明の加熱調理器によれば、音声入力部への音声入力が開始された場合に、冷却ファンの回転速度を音声入力部への音声入力が開始される前の基本速度よりも小さい制限速度へ変更することで、冷却ファンの動作音を軽減させ、Ｓ／Ｎ比を向上させることができる。これにより、音声入力部に入力された音声を正しく認識することができる。
【図面の簡単な説明】
【０００８】
【図１】実施の形態１における加熱調理器の斜視図である。
【図２】実施の形態１における加熱調理器の平面図である。
【図３】実施の形態１における加熱調理器の側面図である。
【図４】実施の形態１における基板ケースユニットの斜視図である。
【図５】実施の形態１における基板ケースユニットの断面模式図である。
【図６】実施の形態１における加熱調理器の主要な構成と機能部とを説明する図である。
【図７】実施の形態１における冷却ファン制限処理の一例を示すタイミングチャートである。
【図８】実施の形態１における冷却ファン制限処理の別の例を示すタイミングチャートである。
【図９】実施の形態１における冷却ファン制限処理の別の例を示すタイミングチャートである。
【図１０】実施の形態１における冷却ファン制限処理の別の例を示すタイミングチャートである。
【図１１】実施の形態１における加熱調理器の動作の流れを示すフローチャートである。
【図１２】実施の形態１における冷却ファン制限処理の流れを示すフローチャートである。
【図１３】実施の形態２における冷却ファン制限処理の一例を示すタイミングチャートである。
【図１４】実施の形態２における冷却ファン制限処理の別の例を示すタイミングチャートである。
【図１５】実施の形態２における冷却ファン制限処理の流れを示すフローチャートである。
【図１６】実施の形態３における加熱調理器の斜視図である。
【図１７】実施の形態３の加熱調理器における第２操作部の構造を説明する図である。
【発明を実施するための形態】
【０００９】
以下、本発明の加熱調理器の実施の形態について、図面を用いて説明する。なお、細かい構造および重複または類似する説明については、適宜簡略化または省略している。以下の実施の形態では、加熱調理器の一例として誘導加熱調理器について説明する。
【００１０】
実施の形態１．
（加熱調理器の構成）
図１は、本発明の実施の形態１における加熱調理器１００の斜視図であり、図２は、加熱調理器１００の平面図であり、図３は、加熱調理器１００の側面図である。図１〜図３に示すように、加熱調理器１００は、本体１と、本体１の上面に配置され、耐熱ガラスで形成された天板２とを備える。天板２の左側手前、右側手前、および中央側奥の３箇所には、加熱口１４が設けられている。
【００１１】
天板２の手前側には、調理モードまたは調理温度などの設定操作を受け付ける第１操作部１１が各加熱口１４に対応して配置されている。また、天板２上の第１操作部１１の近傍には、例えば液晶ディスプレイからなる表示部１５が配置されている。表示部１５には、例えば「予熱中」や「適温到達」等の火力や経過状況、設定されている調理モードの内容等に関する情報が表示される。また、天板２の奥側には、本体１の内部への吸気または内部からの排気を行うための吸排気口１２が配置される。
【００１２】
本体１の前面側には、グリル部１６が配置される。また、グリル部１６の隣には、グリル部１６および各加熱口１４に対する火力などの設定操作などを受け付ける第２操作部１７が配置されている。第２操作部１７には、加熱調理器１００の電源スイッチ１７ａおよび各加熱口１４の火力を調整するためのダイヤルスイッチなどが含まれる。
【００１３】
さらに、第２操作部１７には、音声を入力するための音声入力部２０が配置される。音声入力部２０は、例えばマイクロフォンである。音声入力部２０を、使用者に近い第２操作部１７に配置することで、使用者の音声を検知しやすくなる。なお、音声入力部２０の配置は、これに限定されるものではなく、例えば天板２の手前側に配置してもよい。ただし、後述する冷却ファン２５の動作音の影響を少なくするために、音声入力部２０を冷却ファン２５から離して配置するとよい。具体的には、冷却ファン２５が加熱調理器１００の背面側に配置される場合は、音声入力部２０を前面側に配置し、冷却ファン２５が底面側に配置される場合は、音声入力部２０を上面側に配置すればよい。また、音声入力部２０を本体１内部の風路上に配置した場合、風切り音を拾ってしまい、Ｓ／Ｎ比が悪化する恐れがあるため、風路上から離して配置することが望ましい。
【００１４】
また、本体１の前面側であって、音声入力部２０から離れた位置には、音声出力部１８が設けられている。音声出力部１８は、例えばスピーカーである。音声出力部１８は、人の声またはブザーなどの音声で、調理工程に関する報知音や、加熱調理器１００の異常に関する警告音を出力する。
【００１５】
また、本体１の内部には、各加熱口１４に対応する加熱部６が設けられている。加熱部６は、例えば誘導加熱コイルである。加熱部６に高周波電流を流すことで天板２上に載置された容器１０に渦電流が発生し、この発生する渦電流と容器１０自身の抵抗により容器１０が発熱し、加熱調理を実現する。なお、加熱部６は、電気ヒータ等の他の加熱部であってもよい。
【００１６】
さらに、本体１の内部には、冷却ファン２５を収容した基板ケースユニット２４が配置されている。図４は、本実施の形態における基板ケースユニット２４の斜視図である。基板ケースユニット２４内には、冷却ファン２５が収容されている。冷却ファン２５は、加熱部６、ならびに加熱部６に高周波電力を供給する高周波インバータ２７（図６）および高周波インバータ２７などを制御する制御部３０などが実装された回路基板２２を冷却するために、外気を供給するものである。また、回路基板２２上には、高周波インバータ２７などの冷却効率を高める放熱フィン２３が設けられている。
【００１７】
基板ケースユニット２４の外殻において、冷却ファン２５の吸引側には吸気口２４ａが開口している。また、冷却ファン２５の送出側の上面には、前側排気口２４ｂおよび後側排気口２４ｃという２つの排気口が開口している。吸気口２４ａは、天板２の奥側に設けられた吸排気口１２の下方に配置され、吸排気口１２と連通する。基板ケースユニット２４の内部は、吸気口２４ａから前側排気口２４ｂ、後側排気口２４ｃに至る一体的な風路として機能する。
【００１８】
図５は、本実施の形態における基板ケースユニット２４の断面模式図である。図５では、冷却風の流れを矢印で概念的に示している。冷却ファン２５が起動すると、外部の空気は、吸排気口１２と連通する吸気口２４ａから基板ケースユニット２４内に流入する。基板ケースユニット２４に流入した空気は、冷却ファン２５により吸引および送出され、一部は後側排気口２４ｃから吹き出され、加熱部６を冷却する。また、流入した空気の他の一部は回路基板２２に実装された高周波インバータ２７や放熱フィン２３を冷却した後、前側排気口２４ｂから吹き出される。前側排気口２４ｂまたは後側排気口２４ｃに吹出された空気は、吸排気口１２を介して本体１から排気される。
【００１９】
なお、基板ケースユニット２４の風路構成、ならびに吸排気口１２、吸気口２４ａ、前側排気口２４ｂ、後側排気口２４ｃの配置は、図４および図５に図示されるものに限定されない。例えば、吸排気口１２および吸気口２４ａを、本体１および基板ケースユニット２４の背面側に設けてもよい。また、冷却ファン２５は、吸い込んだ空気を前側排気口２４ｂ、後側排気口２４ｃから送出することのできる送風機であれば、任意の構成のものを採用することができ、また、その配置についても図４および図５に図示されるものに限定されない。
【００２０】
図６は、本実施の形態における加熱調理器１００の主要な構成と機能部とを説明する図である。なお、図６では、１つの加熱口１４に対応する構成のみ図示しており、また、例えば水や食材等の被加熱物が収容された容器１０を併せて図示している。図６に示すように、天板２に設けられた加熱口１４の下部には、加熱部６が配置されている。本実施の形態では、加熱部６は、略環状の内側加熱コイル６ａと、その外側に設けられた略環状の外側加熱コイル６ｂとを備えた二重環形状である。
【００２１】
また、天板２の裏面の加熱部６と対向する面には、サーミスタなどの天板温度センサ２８が天板２の裏面に接触するように配置されている。天板温度センサ２８は、容器１０から天板２へ伝わる熱を検知する。天板温度センサ２８で検知された天板温度は、天板温度検知部２８０に出力され、天板温度検知部２８０によって、温度に換算される。
【００２２】
また、高周波インバータ２７の近傍には、本体１の内部温度を検知するサーミスタなどの内部温度センサ２９が配置されている。本実施の形態における内部温度は、高周波インバータ２７の温度であり、各加熱部６に対応する高周波インバータ２７それぞれの近傍に、内部温度センサ２９が配置されている。なお、別の実施の形態では、例えば、図５に示す回路基板２２または放熱フィン２３に１つの内部温度センサ２９を配置してもよい。内部温度センサ２９で検知された内部温度は、内部温度検知部２９０に出力され、内部温度検知部２９０によって、温度に換算される。
【００２３】
さらに、本体１の内部には、各構成要素を制御する機能部として、表示部１５を制御する表示制御部３１と、第１操作部１１および第２操作部１７を介して入力される設定内容に基づき制御指令を生成する操作制御部３２と、加熱調理器１００の制御に必要なデータおよびプログラムを記憶する記憶部３３と、ＨＥＭＳコントローラなどの外部機器と通信を行う通信部３４と、冷却ファン２５の回転速度を制御する冷却ファン制御部３５と、高周波インバータ２７を制御する駆動部３６と、音声入力部２０によって入力された音声を認識する音声認識部３７と、音声出力部１８による音声出力を制御する音声出力制御部３８と、各機能部を統括制御する制御部３０と、が含まれる。上記各部は、その機能を実現する回路デバイスなどのハードウェアを用いて構成されるか、またはマイコンやＣＰＵ等の演算装置と、その上で実行されるソフトウェアとで構成される。
【００２４】
（加熱調理器１００の動作）
次に、本実施の形態における加熱調理器１００の加熱動作を説明する。使用者によって第１操作部１１または第２操作部１７を介して加熱開始の操作がなされると、操作制御部３２は、加熱開始の制御指令を生成し、制御部３０に出力する。制御部３０は、操作制御部３２からの制御指令に基づき、使用者によって設定された調理モード、調理温度または火力に従って、駆動部３６に対して高周波電力指令（火力情報）を送信する。駆動部３６は、制御部３０からの指令に基づき、高周波インバータ２７を制御して加熱部６に流れる高周波電流を調整する。また、制御部３０は、目標温度が設定された自動調理モードを有しており、第１操作部１１または第２操作部１７を介して自動調理モードを選択する操作がなされた場合、天板温度センサ２８によって検知した温度が目標温度となるように加熱制御を行う。
【００２５】
また、本実施の形態の加熱調理器１００は、音声操作機能を有しており、使用者によって音声入力部２０に入力された音声に基づいて、加熱制御を行うことができる。詳しくは、音声入力部２０へ音声が入力されると、音声認識部３７によって入力された音声が認識され、制御指令が生成される。ここで、音声入力部２０を介して音声が入力された場合、表示制御部３１は、音声入力を受け付けていることが使用者に判るように、表示部１５に「音声受付中」のような表示を行う。または、表示制御部３１は、音声操作の受付中のみ表示部１５の発光色や明るさを異ならせてもよい。さらに、音声出力制御部３８は、音声出力部１８に音声を受け付けたことに対する応答を出力させてもよい。また、音声認識部３７において正しく音声認識ができなかった場合、表示制御部３１または音声出力制御部３８は、表示部１５または音声出力部１８に、再発話を促す表示または音声出力を行ってもよい。
【００２６】
ここで、音声操作以外の雑音を音声操作として認識することを防ぐために、第１操作部１１または第２操作部１７に音声操作開始ボタン（図示せず）を設け、音声操作開始ボタンが押された場合にのみ音声入力を受け付けてもよい。または、音声操作開始ボタンが押されている間のみ、音声入力を有効としてもよい。また、音声認識部３７は、特定の使用者の声しか受け付けないものであってもよい。具体的には、事前に特定の使用者の音声を記憶部３３に登録しておき、入力された音声を登録された音声を照合して、登録された音声と一致した場合のみ、入力を受け付けてもよい。さらに、人感センサ（図示せず）を設け、加熱調理器１００の周囲に人がいることを検知している場合のみ音声入力を受け付けてもよい。このように、音声操作が入力される場合にのみ音声入力を受け付けるよう制御することで、誤検知による誤動作を防ぐとともに、後述する冷却ファン２５の制限を最低限とし、本体１内部の温度上昇を抑制することができる。
【００２７】
音声認識部３７によって生成された制御指令は制御部３０に出力される。制御部３０は、音声認識部３７からの制御指令に基づき、使用者によって入力された調理モード、調理温度または火力に従って、駆動部３６に対して高周波電力指令を送信する。駆動部３６は、制御部３０からの指令に基づき、高周波インバータ２７を制御して加熱部６に流れる高周波電流を調整する。
【００２８】
また、第１操作部１１または第２操作部１７を介して、加熱の開始が操作されると、制御部３０は、冷却ファン制御部３５に加熱開始を通知する。冷却ファン制御部３５は、制御部３０から加熱開始の通知があった場合、冷却ファン２５を起動する。ここで、冷却ファン２５が起動すると、回転による動作音が発生する。そして、冷却ファン２５の動作中に、音声入力部２０に音声が入力される場合、冷却ファン２５の動作音によって、音声認識部３７が正しく音声を検知できない場合がある。
【００２９】
一般的にファンの騒音値は、空力による騒音と、モーターの騒音を合計したものであるが、空力による騒音が大半をしめる。また、回転速度と騒音値の関係については、騒音値は、回転速度の６乗に比例して大きくなることが知られている。そこで、本実施の形態の冷却ファン制御部３５は、音声入力部２０による音声入力が開始された場合に、冷却ファン２５の回転速度を制限する冷却ファン制限処理を実行する。
【００３０】
（冷却ファン制限処理）
図７は、本実施の形態における冷却ファン制限処理の一例を示すタイミングチャートである。図７の横軸は時間を示し、縦軸は冷却ファン２５の回転速度を示す。図７に示すように、冷却ファン制御部３５は、制御部３０から加熱開始の通知があった場合、冷却ファン２５を基本速度Ｖｓで回転させる。基本速度Ｖｓは、加熱調理器１００の仕様に応じて予め定められ記憶部３３に記憶される。そして、冷却ファン２５の動作中に、音声入力部２０への音声入力が開始された場合、冷却ファン制御部３５は、冷却ファン２５の回転速度を制限速度Ｖｒまで減速させる。図７に示す例では、制限速度Ｖｒは、基本速度Ｖｓの半分の速度であるが、これに限定されるものではない。このように、音声入力が開始された場合に、冷却ファン２５の回転速度を音声入力が開始される前の速度（基本速度Ｖｓ）より小さい速度（制限速度Ｖｒ）に制限することで、冷却ファン２５による動作音を軽減し、Ｓ／Ｎ比を向上させることができる。
【００３１】
なお、制限速度Ｖｒは、加熱調理器１００の調理モード、調理温度または火力に応じて個別に設定されてもよい。例えば、本体１の内部温度が上昇しにくい調理モードで動作している場合の制限速度Ｖｒを、本体１の内部温度が上昇しやすい調理モードで動作している場合の制限速度Ｖｒよりも小さく設定してもよい。さらに、制限速度Ｖｒは、駆動している加熱口１４の数に応じて個別に設定されてもよい。例えば、駆動している加熱口１４の数が多い場合は、駆動している加熱口１４が少ない場合に比べて、制限速度Ｖｒを大きく設定してもよい。これにより、冷却ファン２５の動作音の軽減と、本体１の内部温度上昇による素子の破壊抑制との両立を図ることができる。
【００３２】
そして、音声入力部２０への音声入力が終了した場合、冷却ファン制御部３５は、冷却ファン２５の回転速度の制限を解除し、基本速度Ｖｓに戻す。そして、音声認識部３７における音声入力の受付を終了する。このように、冷却ファン２５の回転速度の制限を音声入力中のみに限定することで、本体１内部の温度上昇を最低限に抑えることができる。また、冷却ファン２５の回転速度を基本速度Ｖｓに戻すときは、速度を徐々に上げることで、使用者に違和感を与えないようにすることができる。
【００３３】
冷却ファン制御部３５は、制御部３０から加熱終了の通知があった場合、冷却ファン２５の動作を所定時間継続させ、所定時間経過後に、停止させる。加熱終了直後は、本体１の内部温度は高くなっている可能性がある。そのため、加熱終了後も冷却ファン２５を所定時間動作させることで、本体１内部の温度を低下させることができる。なお、冷却ファン制御部３５は、上記のように所定時間経過後に冷却ファン２５を停止させるだけでなく、内部温度センサ２９によって検知された内部温度Ｔが低下した場合に冷却ファン２５を停止させてもよい。
【００３４】
次に、図８は、本実施の形態における冷却ファン制限処理の別の例を示すタイミングチャートである。図８の横軸は時間を示し、縦軸は冷却ファン２５の回転速度を示す。図８に示すように、冷却ファン制御部３５は、制御部３０から加熱開始の通知があった場合、冷却ファン２５を基本速度Ｖｓで回転させる。そして、冷却ファン２５の動作中に、音声入力部２０への音声入力が開始された場合、冷却ファン制御部３５は、冷却ファン２５の回転速度を制限速度Ｖｒまで減速させる。そして、所定の制限時間ｔｌが経過した場合、冷却ファン制御部３５は、音声入力の有無にかかわらず、冷却ファン２５の回転速度の制限を解除し、基本速度Ｖｓに戻す。また、音声認識部３７における音声入力の受付を終了する。このように、冷却ファン２５の回転速度が制限されている期間を限定することで、本体１の内部温度上昇により、機器内部の素子が壊れることを抑制することができる。なお、別の実施の形態では、制限時間ｔｌの経過後に冷却ファン２５の回転速度の制限解除のみを行い、音声認識部３７による音声入力の受付は継続してもよい。
【００３５】
また、制限時間ｔｌは、予め定められ記憶部３３に記憶される固定時間でもよく、または音声入力内容に応じて可変な時間であってもよい。例えば、音声入力される操作の階層が深いものである場合には、制限時間ｔｌを長く設定してもよい。具体的には、例えば、火力および時間などを設定する必要があるグリルモードが入力された場合には、単なる火力変更が入力された場合に比べて制限時間ｔｌを長く設定する。これにより、音声入力の途中で、冷却ファン２５の速度制限が解除されることを防ぐことができる。また、制限時間ｔｌを可変とする場合、音声入力部２０への音声入力が開始された時点では、回転速度の制限とともに暫定的な制限時間ｔｐが設定され、音声入力内容が認識された時点で、入力内容に応じて制限時間ｔｌが変更される。
【００３６】
さらに、制限時間ｔｌを、加熱調理器１００の調理モード、調理温度、火力、または内部温度に応じて個別に設定してもよい。例えば、本体１の内部温度が上昇しにくい調理モードで動作している場合の制限時間ｔｌを、上昇しやすい調理モードで動作している場合の制限時間ｔｌよりも長く設定してもよい。また、内部温度センサ２９による検知温度が低い場合は、制限時間ｔｌを長く設定し、高い場合は短く設定してもよい。制限時間ｔｌをこのように設定することにより、冷却ファン２５の動作音の軽減と、本体１の内部温度上昇による素子の破壊抑制との両立を図ることができる。
【００３７】
次に、図９は、本実施の形態における冷却ファン制限処理の別の例を示すタイミングチャートである。図９の横軸は時間を示し、縦軸は冷却ファン２５の回転速度を示す。図９に示すように、冷却ファン制御部３５は、制御部３０から加熱開始の通知があった場合、冷却ファン２５を基本速度Ｖｓで回転させる。そして、冷却ファン２５の動作中に、音声入力部２０への音声入力が開始された場合、冷却ファン制御部３５は、冷却ファン２５の回転速度を制限速度Ｖｒまで減速させる。そして、制限時間ｔｌが経過する前に、新たな音声入力がなされた場合、冷却ファン制御部３５は、制限時間ｔｌを延長する。このように、音声入力がある場合には制限時間ｔｌを延長することで、音声入力の途中で、冷却ファン２５の速度制限が解除されることを防ぐことができる。
【００３８】
そして、制限時間ｔｌが経過した場合、冷却ファン制御部３５は、冷却ファン２５の回転速度の制限を解除し、基本速度Ｖｓに戻す。また、音声認識部３７は、音声入力の受付を終了する。なお、ここで最大制限時間ｔｍａｘを設定し、延長した制限時間ｔｌの合計が最大制限時間ｔｍａｘを超える場合には、新たな音声入力の有無にかかわらず、冷却ファン２５の回転速度の制限を解除し、基本速度Ｖｓに戻してもよい。これにより、冷却ファン２５の回転速度が長時間制限され、本体１の内部温度上昇により、機器内部の素子が壊れることを抑制することができる。なお、別の実施の形態では、制限時間ｔｌの経過後に冷却ファン２５の回転速度の制限解除のみを行い、音声認識部３７による音声入力の受付は継続してもよい。
【００３９】
次に、図１０は、本実施の形態における冷却ファン制限処理の別の例を示すタイミングチャートである。図１０の横軸は時間を示し、縦軸は冷却ファン２５の回転速度を示す。図１０に示すように、冷却ファン制御部３５は、制御部３０から加熱開始の通知があった場合、冷却ファン２５を基本速度Ｖｓで回転させる。そして、冷却ファン２５の動作中に、音声入力部２０への音声入力が開始された場合、冷却ファン制御部３５は、冷却ファン２５の回転速度を制限速度Ｖｒまで減速させる。そして、制限時間ｔｌが経過した場合、冷却ファン制御部３５は、冷却ファン２５の回転速度の制限を解除し、回転速度を回復速度Ｖａに変更する。また、音声認識部３７は、音声入力の受付を終了する。回復速度Ｖａは、基本速度Ｖｓよりも大きい速度である。そして、冷却ファン制御部３５は、所定の回復時間ｔｏの間、冷却ファン２５を回復速度Ｖａで駆動した後、回転速度を基本速度Ｖｓに戻す。このように、冷却ファン２５の速度制限の後で、基本速度Ｖｓよりも大きい回復速度Ｖａに設定することで、速度制限中に上昇した本体１の内部温度を迅速に低下させることができる。
【００４０】
図１１は、本実施の形態の加熱調理器１００における加熱動作の流れを示すフローチャートである。本処理は、制御部３０を含む各機能部によって実行される。まず、第１操作部１１または第２操作部１７を介して加熱開始の操作があったか否かが判断される（Ｓ１）。加熱開始の操作がない場合は（Ｓ１：ＮＯ）、加熱開始の操作があるまで待機する。一方、加熱開始の操作があった場合（Ｓ１：ＹＥＳ）、冷却ファン制御部３５によって冷却ファン２５が起動される（Ｓ２）。ここでは、冷却ファン２５は基本速度Ｖｓで回転する。
【００４１】
そして、制御部３０によって、内部温度センサ２９によって検知された内部温度Ｔが、第１の閾値Ｔ１以上であるか否かが判断される（Ｓ３）。ここで、内部温度センサ２９を複数備える場合は、複数の内部温度センサ２９のうち、最も高い温度を用いて判断が行われる。また、第１の閾値Ｔ１は、本体１の内部が通常使用時以上の高温であると判断される温度であり、予め定められ記憶部３３に記憶される。そして、内部温度Ｔが、第１の閾値Ｔ１以上である場合（Ｓ３：ＹＥＳ）、加熱を開始することなく、ステップＳ９へ進む。この場合は、何らかの要因により本体１内部の温度が高くなっているため、機器の保護を優先させ、加熱を行わない。
【００４２】
一方、内部温度Ｔが、第１の閾値Ｔ１より低い場合（Ｓ３：ＮＯ）、駆動部３６によって高周波インバータ２７が制御され、加熱部６による加熱が開始される（Ｓ４）。続いて、音声入力部２０への音声入力が開始されたか否かが判断される（Ｓ５）。ここでは、音声認識部３７にて最初の一声が認識されたとき、または音声操作開始ボタンを備える場合は、音声操作開始ボタンが押されたときを、音声入力が開始されたと判断する。そして、音声入力が開始されていない場合は（Ｓ５：ＮＯ）、ステップＳ７へ進む。一方、音声入力が開始された場合は（Ｓ５：ＹＥＳ）、冷却ファン制御部３５による冷却ファン制限処理が実行される（Ｓ６）。
【００４３】
図１２は、本実施の形態における冷却ファン制限処理の流れを示すフローチャートである。詳しくは、図１２は、冷却ファン制御部３５によって図９に示す冷却ファン制限処理が行われる場合の処理の流れを示すものである。本処理では、まず、冷却ファン２５の回転速度が制限速度Ｖｒに変更される（Ｓ６０１）。そして、音声入力部２０を介して入力される音声に対して音声認識部３７による音声認識が行われる（Ｓ６０２）。そして、経過時間の計測が開始され（Ｓ６０３）、制限時間ｔｌが経過したか否かが判断される（Ｓ６０４）。制限時間ｔｌが経過していない場合（Ｓ６０４：ＮＯ）、新たな音声入力があったか否かが判断される（Ｓ６０５）。そして、新たな音声入力がない場合は（Ｓ６０５：ＮＯ）、ステップＳ６０４へ戻る。一方、新たな音声入力がある場合は（Ｓ６０５：ＹＥＳ）、計測時間がリセットされ（Ｓ６０６）、ステップＳ６０３へ戻って、再び計測が開始される。
【００４４】
そして、ステップＳ６０４で制限時間ｔｌが経過した場合（Ｓ６０４：ＹＥＳ）、冷却ファン２５の回転速度の制限が解除され、基本速度Ｖｓに戻される（Ｓ６０７）。そして、音声認識部３７による音声入力の受付を終了し（Ｓ６０８）、図１１のステップＳ７へ進む。
【００４５】
図１１に戻って、ステップＳ７では、調理が終了したか否かが判断される（Ｓ７）。ここでは、使用者によって第１操作部１１または第２操作部１７を介して調理の終了が操作された場合、自動調理モードにおいては自動調理の各工程が終了した場合、またはタイマー設定がなされている状態でタイマーが切れた場合などに、調理が終了したと判断される。そして、調理が終了していない場合は（Ｓ７：ＮＯ）、ステップＳ５に戻って、以降の処理が繰り返される。一方、調理が終了した場合は（Ｓ７：ＹＥＳ）、駆動部３６によって高周波インバータ２７が制御され、加熱部６による加熱が停止される（Ｓ８）。そして、加熱停止から所定時間が経過するまで待機し（Ｓ９：ＮＯ）、所定時間が経過した場合（Ｓ９：ＹＥＳ）、冷却ファン２５が停止される（Ｓ１０）。
【００４６】
以上のように、本実施の形態によれば、冷却ファン制御部３５によって、音声入力が開始された場合に冷却ファン２５の回転速度を制限することで、冷却ファン２５の動作音を軽減させ、Ｓ／Ｎ比を向上させることができる。これにより、音声認識部３７において正しく音声操作を認識することができる。
【００４７】
また、冷却ファン制御部３５は、音声入力部２０への音声入力が終了した場合、または冷却ファン２５の回転速度を制限速度Ｖｒへ変更してから制限時間ｔｌが経過した場合、冷却ファン２５の回転速度を制限速度Ｖｒから基本速度Ｖｓに戻す。これにより、本体１内部の温度上昇を抑制することができる。
【００４８】
また、冷却ファン制御部３５は、冷却ファン２５の回転速度を制限速度Ｖｒへ変更してから制限時間ｔｌが経過した場合、冷却ファン２５の回転速度を制限速度Ｖｒから、基本速度Ｖｓより大きい回復速度Ｖａに変更する。これにより、冷却ファン２５の回転速度制限中の、本体１の内部温度の上昇を迅速に解消することができる。
【００４９】
また、制限時間ｔｌまたは制限速度Ｖｒは、調理モード、調理温度、火力、または内部温度Ｔに応じて設定される。これにより、Ｓ／Ｎ比の向上と内部温度の上昇抑制の両立を図ることができる。
【００５０】
また、制限時間ｔｌは、音声認識部３７によって認識される音声入力の内容に応じて可変に設定される。これにより、音声入力が終了する前に、冷却ファン２５の回転速度の制限が解除されることを抑制することができる。
【００５１】
さらに、冷却ファン制御部３５は、内部温度Ｔが第１の閾値Ｔ１以上の場合、冷却ファン２５の回転速度の変更を行わない。これにより、本体１内部が高温の場合に、さらなる温度上昇を抑制することができる。
【００５２】
なお、本実施の形態において、加熱調理器１００は、冷却ファン２５を制御する冷却ファン制御部３５を有する形態であるが、制御部３０が冷却ファン２５の制御をおこなってもよい。
【００５３】
実施の形態２．
次に、本発明の実施の形態２について説明する。実施の形態２の加熱調理器１００は、冷却ファン制御部３５が、内部温度Ｔに基づいて冷却ファン制限処理を行う点において、実施の形態１と相違する。加熱調理器１００のその他の構成については、実施の形態１と同様であり、同一の符号を付する。
【００５４】
図１３は、本実施の形態における冷却ファン制限処理の一例を示すタイミングチャートである。図１３（ａ）は、内部温度Ｔの推移を示し、図１３（ｂ）は、冷却ファン２５の回転速度の推移を示す。また、図１３（ａ）の横軸は時間を示し、縦軸は内部温度Ｔを示す。また、図１３（ｂ）の横軸は時間を示し、縦軸は冷却ファン２５の回転速度を示す。図１３（ｂ）に示すように、冷却ファン制御部３５は、制御部３０から加熱開始の通知があった場合、冷却ファン２５を基本速度Ｖｓで回転させる。冷却ファン２５の動作中に、音声入力部２０への音声入力が開始された場合、冷却ファン制御部３５は、冷却ファン２５の回転速度を制限速度Ｖｒまで減速させる。
【００５５】
また、図１３（ａ）に示すように、内部温度Ｔは、加熱開始とともに上昇する。そして、冷却ファン２５の回転速度が制限されることにより、内部温度Ｔはさらに上昇する。冷却ファン制御部３５は、内部温度Ｔが第２の閾値Ｔ２を超えた場合、制限時間ｔｌが経過する前であっても、冷却ファン２５の回転速度の制限を解除し、基本速度Ｖｓに戻す。また、音声認識部３７は、音声入力の受け付けを終了する。このように、内部温度Ｔが所定の閾値よりも高くなった場合に、冷却ファン２５の速度制限を解除することで、本体１の内部温度上昇により、機器内部の素子が壊れることを抑制することができる。なお、第２の閾値Ｔ２は、上記第１の閾値Ｔ１よりも低い温度であり、予め定められ記憶部３３に記憶される。
【００５６】
次に、図１４は、本実施の形態における冷却ファン制限処理の別の例を示すタイミングチャートである。図１４（ａ）は、内部温度Ｔの推移を示し、図１４（ｂ）は、冷却ファン２５の回転速度の推移を示す。また、図１４（ａ）の横軸は時間を示し、縦軸は内部温度Ｔを示す。また、図１４（ｂ）の横軸は時間を示し、縦軸は冷却ファン２５の回転速度を示す。図１４（ｂ）に示すように、冷却ファン制御部３５は、制御部３０から加熱開始の通知があった場合、冷却ファン２５を基本速度Ｖｓで回転させる。冷却ファン２５の動作中に、音声入力部２０への音声入力が開始された場合、冷却ファン制御部３５は、冷却ファン２５の回転速度を内部温度Ｔに応じた制限速度Ｖｒに減速させる。
【００５７】
具体的には、冷却ファン制御部３５は、内部温度Ｔが第２の閾値Ｔ２を超えないように、内部温度Ｔが低い場合は制限速度Ｖｒを小さく設定し、内部温度Ｔが高い場合は、制限速度Ｖｒを大きく設定する。そして、制限時間ｔｌが経過した場合、冷却ファン２５の回転速度の制限を解除し、基本速度Ｖｓに戻す。また、音声認識部３７は、音声入力の受け付けを終了する。このように、内部温度Ｔに応じて制限速度Ｖｒを可変とすることで、音声入力のための時間が確保されるとともに、本体１の内部温度上昇により、機器内部の素子が壊れることを抑制することができる。
【００５８】
図１５は、本実施の形態における冷却ファン制限処理の流れを示すフローチャートである。詳しくは、図１５は、冷却ファン制御部３５によって図１３に示す冷却ファン制限処理が行われる場合の流れを示すものである。本処理では、まず、内部温度Ｔが第２の閾値Ｔ２以上であるか否かが判断される（Ｓ６１１）。そして、内部温度Ｔが第２の閾値Ｔ２以上である場合（Ｓ６１１：ＹＥＳ）、ステップＳ６２１へ進む。この場合は、本体１内部の温度が高くなっているため、冷却ファン２５の回転速度を制限しない。
【００５９】
一方、内部温度Ｔが第２の閾値Ｔ２より低い場合（Ｓ６１１：ＮＯ）、冷却ファン２５の回転速度が制限速度Ｖｒに変更される（Ｓ６１２）。そして、音声入力部２０を介して入力される音声に対して音声認識部３７による音声認識が行われ（Ｓ６１３）、経過時間の計測が開始される（Ｓ６１４）。そして、再び内部温度Ｔが第２の閾値Ｔ２以上であるか否かが判断される（Ｓ６１５）。そして、内部温度Ｔが第２の閾値Ｔ２より低い場合（Ｓ６１５：ＮＯ）、制限時間ｔｌが経過したか否かが判断される（Ｓ６１６）。制限時間ｔｌが経過していない場合（Ｓ６１６：ＮＯ）、新たな音声入力があったか否かが判断される（Ｓ６１７）。そして、新たな音声入力がない場合は（Ｓ６１７：ＮＯ）、ステップＳ６１５へ戻る。一方、新たな音声入力がある場合は（Ｓ６１７：ＹＥＳ）、計測時間がリセットされ（Ｓ６１８）、ステップＳ６１４へ戻って、再び計測が開始される。
【００６０】
一方、ステップＳ６１５で内部温度Ｔが第２の閾値Ｔ２以上である場合（Ｓ６１５：ＹＥＳ）、計測時間がリセットされ（Ｓ６１９）、ステップＳ６２０へ進む。また、ステップＳ６１６で制限時間ｔｌが経過した場合（Ｓ６１６：ＹＥＳ）も、ステップＳ６２０へ進む。ステップＳ６２０では、冷却ファン２５の回転速度の制限が解除され、基本速度Ｖｓに戻される（Ｓ６２０）。そして、音声認識部３７における音声入力の受付を終了し（Ｓ６２１）、冷却ファン制限処理を終了する。
【００６１】
以上のように、本実施の形態によれば、実施の形態１の効果に加え、内部温度に基づいて冷却ファン２５の回転速度の制限を行うことで、本体１の内部温度上昇による素子の破壊をさらに抑制することができる。
【００６２】
実施の形態３．
次に、本発明の実施の形態３について説明する。実施の形態３の加熱調理器１００Ａは、音声入力部２０の配置において、実施の形態１と相違する。加熱調理器１００Ａのその他の構成および冷却ファン制限処理については、実施の形態１と同様であり、同一の符号を付する。図１６は、本実施の形態における加熱調理器１００Ａの斜視図であり、図１７は、加熱調理器１００Ａにおける第２操作部１７Ａの構造を説明するための図である。
【００６３】
図１６および図１７に示すように、本実施の形態における第２操作部１７Ａは、下方に設けられた回動軸１７１を中心として第２操作部１７Ａの上方が前面側に倒れ、操作パネル１７２が上方側に向かって露出するいわゆるカンガルーポケット形態を有している。図１６（ａ）および図１７（ａ）は、第２操作部１７Ａが本体１内に収納された状態を示し、図１６（ｂ）および図１７（ｂ）は、第２操作部１７Ａが引き出された状態を示す。
【００６４】
図１６（ａ）および図１７（ａ）に示すように、第２操作部１７Ａ引き出された状態において、操作パネル１７２は、使用者が操作しやすい角度に露出される。また、本実施の形態の音声入力部２０は、第２操作部１７Ａの操作パネル１７２に配置され、第２操作部１７Ａとともに、収納または露出される。音声入力部２０を使用者に向かって露出される操作パネル１７２に配置することで、使用者からの音声を検知しやすくなる。また、第２操作部１７Ａの収納時には、音声が遮蔽されるため、雑音の入力を低減することができる。さらに、第２操作部１７Ａが引き出された状態を検知し、音声入力開始のトリガーとすることもできる。
【００６５】
以上のように、本実施の形態によれば、実施の形態１および２の効果に加え、Ｓ／Ｎ比をさらに向上させることができ、音声認識部３７による音声認識率もさらに高めることができる。
【００６６】
以上、本発明の実施の形態について図面を参照して説明したが、本発明の具体的な構成はこれに限られるものでなく、発明の要旨を逸脱しない範囲で変更可能である。例えば、上記実施の形態では、容器１０を誘導加熱する加熱調理器１００の場合を説明したが、本発明はこれに限らず、ガス式加熱調理器や電気ヒータ式加熱調理器でも同様に本発明を適用することが可能である。また、上記実施の形態においては、冷却ファン制限処理において、冷却ファン２５の回転速度を減速させることについて説明したが、冷却ファン２５を停止させるよう制御してもよい。
【００６７】
また、上記実施の形態における冷却ファン２５の回転速度の制御に加え、音声出力部１８からの報知音の制御を行ってもよい。具体的には、音声出力部１８から報知音が出力される場合、音声出力制御部３８は、冷却ファン２５の回転速度の制限と同様に、音声入力中は報知音の音量を下げるかもしくは無音とし、音声入力が終了した場合に、報知音の音量を自動で復帰させてもよい。このように制御することで、冷却ファン２５の動作音に加え、報知音も制限することができ、Ｓ／Ｎ比をさらに向上させ、音声認識率を高めることができる。
【００６８】
ただし、音声出力部１８からの報知音が加熱調理器１００の異常を報知する警告音である場合は、音声入力が開始されても、報知音の音量制限を行わず、音声入力の受付を終了する。加熱調理器１００に異常が発生した場合は、使用者に早く知らせることで、迅速に対処できるようにする。なお、異常を報知する警告音以外の報知音については、報知音量の制限に替えて、音声入力が終了した後に報知するように、報知タイミングを遅らせてもよい。これにより、調理工程の報知など、使用者が知りたい情報を確実に知らせることができ、使い勝手を向上させることができる。
【００６９】
さらに、音声入力部２０の感度を可変とし、音声入力が開始された場合は、冷却ファン２５の回転速度の制限に加え、音声入力部２０の感度をあげてもよい。これにより、音声源の信号レベルを大きくすることができ、Ｓ／Ｎ比をさらに向上させることができる。また、冷却ファン２５の回転速度の制限が解除された場合には、音声入力部２０の感度も元に戻せばよい。
【００７０】
また、加熱調理器１００が、通信部３４を介して携帯通信端末またはインターホンなどの外部機器から音声入力を受け付けることが可能な構成の場合は、本体１に配置される音声入力部２０への音声入力があった場合に冷却ファン２５や音声出力部１８の制限を行い、外部機器から音声入力があった場合には、当該制限を行わない構成としてもよい。外部機器から音声が入力される場合は、冷却ファン２５や報知音の影響を気にしなくてよいため、最低限の制限を行うことで、本体１内部の温度上昇を抑制することができる。
【００７１】
さらに、上記実施の形態では、加熱調理器１００が１つの冷却ファン２５を備える場合について説明したが、加熱調理器１００に複数の冷却ファン２５を備えてもよい。この場合、音声入力の有無または内部温度などに応じて、複数の冷却ファン２５の何れかまたは全てに対して回転速度の制限を行えばよい。また、冷却ファン２５は、加熱部６および高周波インバータ２７等を冷却するためのものに限定されず、例えばグリル部１６を冷却および換気するためのファンであってもよい。
【００７２】
また、上記実施の形態では、冷却ファン２５の動作中に音声入力が開始された場合の冷却ファン制限処理について説明したが、冷却ファン２５の動作前に冷却ファン制限処理を行ってもよい。例えば、加熱開始の操作が音声入力によってなされる場合には、冷却ファン２５の起動時の回転速度を制限速度Ｖｒとしてもよく、または冷却ファン２５を制限時間ｔｌ後に起動してもよい。これにより、加熱開始の操作が音声入力によってなされる場合にもＳ／Ｎ比を向上させることができる。
【００７３】
また、上記実施の形態では、音声入力がなされていない状態、すなわち冷却ファンが制限されていない状態では、一定の基本速度Ｖｓで冷却ファン２５を動作させる構成としたが、基本速度Ｖｓは可変であってもよい。例えば、内部温度Ｔが高い場合に基本速度Ｖｓが大きくなるよう設定してもよい。この場合、冷却ファン制限処理における制限速度は、音声入力が開始される前の基本速度Ｖｓよりも小さいものであればよい。
【符号の説明】
【００７４】
１  本体、２  天板、６  加熱部、６ａ  内側加熱コイル、６ｂ  外側加熱コイル、１０  容器、１１  第１操作部、１２  吸排気口、１４  加熱口、１５  表示部、１６  グリル部、１７、１７Ａ  第２操作部、１７ａ  電源スイッチ、１８  音声出力部、２０  音声入力部、２２  回路基板、２３  放熱フィン、２４  基板ケースユニット、２４ａ  吸気口、２４ｂ  前側排気口、２４ｃ  後側排気口、２５  冷却ファン、２７  高周波インバータ、２８  天板温度センサ、２９  内部温度センサ、３０  制御部、３１  表示制御部、３２  操作制御部、３３  記憶部、３４  通信部、３５  冷却ファン制御部、３６  駆動部、３７  音声認識部、３８  音声出力制御部、１００、１００Ａ  加熱調理器、１７１  回動軸、１７２  操作パネル、２８０  天板温度検知部、２９０  内部温度検知部。
【図１】
0006436831.tif 000002
【図２】
0006436831.tif 000003
【図３】
0006436831.tif 000004
【図４】
0006436831.tif 000005
【図５】
0006436831.tif 000006
【図６】
0006436831.tif 000007
【図７】
0006436831.tif 000008
【図８】
0006436831.tif 000009
【図９】
0006436831.tif 000010
【図１０】
0006436831.tif 000011
【図１１】
0006436831.tif 000012
【図１２】
0006436831.tif 000013
【図１３】
0006436831.tif 000014
【図１４】
0006436831.tif 000015
【図１５】
0006436831.tif 000016
【図１６】
0006436831.tif 000017
【図１７】
0006436831.tif 000018